(57)【要約】【課題】片持ち支持での提示や本やノートのように一辺で綴じることができるとともに、画面を有効に使用することができる情報表示用パネルを提供する。【解決手段】少なくとも一方が透明である２枚の基板間に表示媒体を封入し、各基板に設けた電極間に電圧を印加し、表示媒体に電界を与えることにより、表示媒体を移動させて画像等の情報を表示する情報表示用パネルにおいて、パネルの表示エリア内の表示面側の電極および背面側の電極のそれぞれの引き出し線を、パネルの一方向に配置した。好ましくは、表示面側の電極および背面側の電極が互いに直交配置されたライン電極からなり、一方の基板の電極の引き出し線のみを、もう一方の基板側に持って行き、このもう一方の基板側の電極の引き出し線と同方向に引き出すようにした。【選択図】図４
2007322781.tif 000002
【特許請求の範囲】
【請求項１】
少なくとも一方が透明である２枚の基板間に表示媒体を封入し、各基板に設けた電極間に電圧を印加し、表示媒体に電界を与えることにより、表示媒体を移動させて画像等の情報を表示する情報表示用パネルにおいて、パネルの表示エリア内の表示面側の電極および背面側の電極のそれぞれの引き出し線を、パネルの一方向に配置したことを特徴とする情報表示用パネル。
【請求項２】
表示面側の電極および背面側の電極が互いに直交配置されたライン電極からなり、一方の基板の電極の引き出し線のみを、もう一方の基板側に持って行き、このもう一方の基板側の電極の引き出し線と同方向に引き出すようにしたことを特徴とする請求項１に記載の情報表示用パネル。
【請求項３】
一方の引き出し線に対し、もう一方の引き出し線を両側に配置することを特徴とする請求項１または２に記載の情報表示用パネル。
【請求項４】
一方向に配置した引き出し線の端部に引き出し線終結部を構成し、引き出し線終結部により片持ち支持を可能としたことを特徴とする請求項１〜３のいずれか１項に記載の情報表示用パネル。
【請求項５】
引き出し線終結部に電力供給用の電池を交換可能に設けたことを特徴とする請求項４に記載の情報表示用パネル。
【発明の詳細な説明】
【技術分野】
【０００１】
本発明は、少なくとも一方が透明である２枚の基板間に表示媒体を封入し、各基板に設けた電極間に電圧を印加し、表示媒体に電界を与えることにより、表示媒体を移動させて画像等の情報を表示する情報表示用パネルに関するものである。
【背景技術】
【０００２】
従来、少なくとも一方が透明である２枚の基板間に表示媒体を封入し、各基板に設けた電極間に電圧を印加し、表示媒体に電界を与えることにより、表示媒体を移動させて画像等の情報を表示する情報表示用パネルが知られている（例えば、特許文献１参照）。
【特許文献１】国際公開ＷＯ２００３／０５０６０６号パンフレット
【０００３】
上述した従来の情報表示用パネルでは、通常、表示面側基板電極の引き出し線と、背面側基板電極の引き出し線とは、直角２方向に引き出されていた。図１４（ａ）〜（ｃ）はそれぞれ従来の情報表示用パネルの一構成を説明するための図である。本例では、まず、図１４（ａ）に示すように、透明な表示面側基板５１上に表示面側ライン電極５２とそれに続く引き出し線５３とを配置するとともに、図１４（ｂ）に示すように、背面側基板５４上に背面側ライン電極５５とそれに続く引き出し線５６とを配置する。この際、表示面側基板５１と背面側基板５４とを重ね合わせたときに、表示面側ライン電極５２およびその引き出し線５３と背面側ライン電極５５およびその引き出し線５６とが互いに直交するよう配置する。そして、図１４（ｃ）に示すように、表示面側基板５１と背面側基板５４とを重ね合わせ、パネル６１の情報表示エリア６２外の引き出し線５３および５６のそれぞれに、コネクタ６３および６４を介して接続配線６５および６６を、直角２方向の端面で接続して、情報表示用パネル６１を得ている。
【発明の開示】
【発明が解決しようとする課題】
【０００４】
上述した構造の従来の情報表示用パネルでは、パネル６１の直角２方向の端面で、引き出し線５３および５６のそれぞれに接続配線６５および６６を接続しているため、情報表示用パネル６１を片持ち支持にて提示したり、本やノートのように一辺で綴じて（挟んで）使用したりすることができない問題があった。特に、本、ノートのようにサイズ規格がある場合に対応しようとすると、パネル６１の外形全体の制約から、パネル６１の情報表示エリア６２を縮めなければならず、画面（情報表示エリア６２）を有効に使用できない問題があった。
【０００５】
本発明の目的は上述した問題点を解消して、片持ち支持での提示や本やノートのように一辺で綴じることができるとともに、画面を有効に使用することができる情報表示用パネルを提供しようとするものである。
【課題を解決するための手段】
【０００６】
本発明の情報表示用パネルは、少なくとも一方が透明である２枚の基板間に表示媒体を封入し、各基板に設けた電極間に電圧を印加し、表示媒体に電界を与えることにより、表示媒体を移動させて画像等の情報を表示する情報表示用パネルにおいて、パネルの表示エリア内の表示面側の電極および背面側の電極のそれぞれの引き出し線を、パネルの一方向に配置したことを特徴とするものである。
【０００７】
また、本発明の情報表示用パネルの好適例としては、表示面側の電極および背面側の電極が互いに直交配置されたライン電極からなり、一方の基板の電極の引き出し線のみを、もう一方の基板側に持って行き、このもう一方の基板側の電極の引き出し線と同方向に引き出すようにしたこと、一方の引き出し線に対し、もう一方の引き出し線を両側に配置すること、一方向に配置した引き出し線の端部に引き出し線終結部を構成し、引き出し線終結部により片持ち支持を可能としたこと、引き出し線終結部に電力供給用の電池を交換可能に設けたこと、がある。
【発明の効果】
【０００８】
本発明によれば、パネルの表示エリア内の表示面側の電極および背面側の電極のそれぞれの引き出し線を、パネルの一方向に配置したことで、片持ち支持での提示や本やノートのように一辺で綴じることができるとともに、画面を有効に使用することができる情報表示用パネルを得ることができる。
【発明を実施するための最良の形態】
【０００９】
まず、本発明の情報表示用パネルの基本的な構成について説明する。本発明の情報表示用パネルでは、対向する２枚の基板間に封入した表示媒体に電界が付与される。付与された電界方向にそって、帯電した表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１０】
本発明の対象となる情報表示用パネルの例を、図１（ａ）、（ｂ）、図２および図３（ａ）〜（ｄ）に基づき説明する。
【００１１】
図１（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、基板１、２との間に例えば格子状に隔壁４を設けセルを形成している。また、図１（ｂ）において、手前にある隔壁は省略している。
【００１２】
図２に示す例では、少なくとも１種以上の粒子から構成される少なくとも光学的反射率と帯電性を有する表示媒体３（ここでは表示用白色粒子３Ｗａの粒子群からなる白色表示媒体３Ｗを示す）を、基板１に設けた電極５と基板２に設けた電極６との間に電圧を印加することにより発生する電界に応じて、基板１、２と平行方向に移動させ、白色表示媒体３Ｗを観察者に視認させて白色の表示を行うか、あるいは、基板１において透明な電極６の下に設けたカラー板７（ここでは黒色）の色を観察者に視認させて黒色の表示を行っている。なお、図２に示す例では、基板１、２との間に例えば格子状の隔壁４を設けセルを形成している。また、図２において、手前にある隔壁は省略している。
【００１３】
図３（ａ）〜（ｄ）はそれぞれ本発明の情報表示用パネルのさらに他の例を示す図である。図３（ａ）に示す例では、表示媒体駆動型の情報表示用パネルのうち、電極５、６が個別電極の例を示す。図３（ｂ）に示す例では、表示媒体駆動型の情報表示用パネルのうち、電極５、６がライン電極の例を示す。図３（ｃ）に示す例では、電極５、６を個別電極とするとともに、表示媒体をカプセル８中に充填して基板１、２間に配置した例を示す。図３（ｄ）に示す例では、電極５、６を個別電極とするとともに、回転ボール型表示媒体９を基板１、２間に配置した例を示す。図３（ａ）〜（ｄ）に示したいずれの例も、本発明の情報表示用パネルに好適に適用することができる。
【００１４】
図４（ａ）〜（ｃ）はそれぞれ本発明の情報表示用パネルの一例の構成を説明するための図である。ここで、図４（ａ）は表示面側基板１１の状態を示す図であり、図４（ｂ）は背面側基板１４の状態を示す図であり、図４（ｃ）は表示面側基板１１を裏返してから背面側基板１４と貼り合わせた情報表示用パネルを表示面側から見た様子を示す。
【００１５】
まず、図４（ａ）に示すように、透明な表示面側基板１１上に表示面側ライン電極１２とそれに続く引き出し線１３−１とを配置するとともに、図４（ｂ）に示すように、背面側基板１４上に背面側ライン電極１５とそれに続く引き出し線１６を配置し、さらに、背面側基板１４上の背面側ライン電極１５の外側に引き出し線１６と並んて引き出し線１３−２を配置する。この際、表示面側基板１１と背面側基板１４とを重ね合わせたときに、表示面側ライン電極１２およびその引き出し線１３−１と背面側ライン電極１５およびその引き出し線１６とが互いに直交するよう配置する。また、引き出し線１３−１の長さを引き出し線１３−２の長さに対応して変化させ、表示面側基板１１と背面側基板１４とを重ね合わせたときに、引き出し線１３−１の端部と引き出し線１３−２の端部とが上下に重なり合うよう配置する。そして、図４（ｃ）に示すように、表示面側基板１１と背面側基板１４とを重ね合わせ、その際、何らかの手段で引き出し線１３−１の端部と引き出し線１３−２の端部とを上下に電気的に導通させる。さらに、パネル２１の情報表示エリア２２外の引き出し線１６および１３−２のそれぞれに、コネクタ２３および２４を介して接続配線２５および２６を、一方の端面で接続して、情報表示用パネル２１を得ている。
【００１６】
図４（ａ）〜（ｃ）に示す例において、表示面側基板１１には透明電極１２を設ける必要があり、酸化インジウム錫（ＩＴＯ）等の透明導電材により電極を形成するが、背面側基板１４に設ける電極１５は透明でなくてもよいので、アルミニウム、銅等の良導電性の金属材料を用いることができる。引き出し線１３−１、１３−２、１６も酸化インジウム錫（ＩＴＯ）等の導電材を用いることもできるが、引き出し線は情報表示エリア２２には出ないので透明でなくてもよく、アルミニウム、銅等の良導電性の金属材料を用いることもできる。一方の基板側から引っ張られた引き出し線１３−１と、もう一方の基板上に予め形成されている引き出し線１３−２との接続は、導電性粒子を含有した異方導電接着剤等で行うことができる。引き出し線１３−１、１３−２、１６の配線は、エッチング、フォトリソ、化学蒸着法等、従来からのパターニング技術により表示面側基板１１、背面側基板１４に形成する。配線パターンは、隣り合う配線同士が互いに影響を及ぼさない範囲で、できるだけ詰めて行うのが情報表示エリア２２のスペースを広くとれるので好ましい。配線の長さも、接続する電極までの距離ができるだけ均等になるようにすることが、配線の電気抵抗バラツキを少なくし、電極への印加電圧を均等にするので好ましい。
【００１７】
図５（ａ）〜（ｃ）および図６（ａ）〜（ｃ）はそれぞれ本発明の情報表示用パネルの他の例の構成を説明するための図である。図５（ａ）〜（ｃ）および図６（ａ）〜（ｃ）に示す例において、図４（ａ）〜（ｃ）に示す例と同一の部材には同一の符号を付し、その説明を省略する。図５（ａ）〜（ｃ）に示す例は、情報表示用パネル２１の情報表示エリア２２を縦方向に長いエリアとした例を示す。図６（ａ）〜（ｃ）に示す例は、表示面側基板１１に対するコネクタ２４および接続配線２６に対し、その両側に、背面側基板１２に対するコネクタ２３−１、２３−２と接続配線２５−１、２５−２を形成した例を示す。いずれの例も図４（ａ）〜（ｃ）に示す例と同様の効果を得ることができ、特に、図５（ａ）〜（ｃ）に示す例では、縦方向に長い情報表示エリア２２を確保でき、図６（ａ）〜（ｃ）に示す例では、パネル２１の幅方向の長さとほぼ同じ長さの情報表示エリア２２を確保することができる。
【００１８】
次に、本発明の情報表示用パネルを情報表示ボードとして使用した例について、図７〜図１２を参照して説明する。図７〜図１３の例では、上述した実施例におけるコネクタ２３、２３−１、２３−２、２４および接続配線２５、２５−１、２５−２、２６を情報表示用パネル２１の一方の側に引き出した引き出し線終結部３１として説明している。
【００１９】
図７に示す例では、引き出し線終結部３１を天井３２に固定して、情報表示用パネル２１を片持ち支持している例を示している。図８に示す例では、引き出し線終結部３１を壁３に固定して、情報表示用パネル２１を片持ち支持している例を示している。図９（ａ）、（ｂ）に示す例では、引き出し線終結部３１を綴じ代として利用してパネル３４を表紙として形成した例を示しており、図９（ａ）に示すようにパネル３４を開いて情報表示用パネル２１の表示情報を見ることもできるし、図９（ｂ）に示すようにパネル３４を閉じてて情報表示用パネル２１を保護することもできる。また、複数枚のパネルをまとめて綴じて用いることもできる。
【００２０】
図１０（ａ）、（ｂ）はそれぞれ本発明の情報表示用パネルの一例を正面から見た図および側面から見た図を示す。図１０（ａ）、（ｂ）に示す例では、引き出し線終結部３１に電力供給用の電池を交換可能に設けるための電池交換スペース３５を構成している。そして、情報表示エリア２２には白／黒の広告を表示している。また、本例では、引き出し線終結部３１において、１つのコネクタの分担する引き出し線の数を少なくし、コネクタの数を増やしている。図１１（ａ）〜（ｃ）および図１２（ａ）〜（ｃ）はそれぞれ図１０（ａ）〜（ｃ）の変形例を示しており、いずれの例においても同一の部材には同一の符号を付し、その説明を省略する。図１１（ａ）〜（ｃ）に示す例では、引き出し線終結部３１を上部に設けた例を示す。また、図１２（ａ）〜（ｃ）に示す例では、引き出し線終結部３１を側面に設けるとともに、情報表示エリア２２を第１の表示エリア２２−１と第２の表示エリア２２−２とから構成し、第１の表示エリア２２−１を白色表示媒体／黒色表示媒体を用いて白／黒で表示し、第２の表示エリア２２−２を黄色表示媒体／黒色表示媒体を用いて黄／黒で表示した例を示している。
【００２１】
以下、本発明の情報表示用パネルを構成する各部材について説明する。
【００２２】
基板については、少なくとも一方の表示側基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートやガラスシートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２３】
電極を形成する場合の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極厚みは、導電性が確保でき光透過性に支障がなければ良く、３〜１０００ｎｍ、好ましくは５〜４００ｎｍが好適である。背面側基板１に設ける電極の材質や厚みなどは上述した表示面側基板に設ける電極と同様であるが、透明である必要はない。また、この場合の外部電圧入力は、直流あるいは交流を重畳しても良い。
【００２４】
基板に隔壁を設ける場合の隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図１３に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００２５】
次に、本発明の情報表示用パネルで表示媒体として例えば用いる粉流体について説明する。なお、本発明の情報表示用パネルで用いる粉流体の名称については、本出願人が「電子粉流体（登録商標）：登録番号4636931」の権利を得ている。
【００２６】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２７】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００２８】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、粉体の流動性を示す指数である安息角を形成しないほど流動性に富んだ状態を示すものであり、低電圧の印加等で形成される電界でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態を容易に作り出せる表示媒体として用いられる。
【００２９】
次に、本発明の対象となる情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたり、粉流体になるように調整したりして用いられる。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３０】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３１】
荷電制御剤（ＣＣＡ）としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３２】
着色剤としては、以下に例示するような、有機または無機の各種、各色の顔料、染料が使用可能である。
【００３３】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３４】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３５】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３６】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記した各種着色剤を配合して所望の色の表示用有色粒子を作製できる。
【００３７】
また、表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３８】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３９】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４０】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４１】
表示用有色粒子の帯電量は当然その測定条件に依存するが、情報表示用パネルにおける表示用有色粒子の帯電量はほぼ、初期帯電量、隔壁との接触、基板との接触、経過時間に伴う電荷減衰に依存し、特に表示用有色粒子の帯電挙動の飽和値が支配因子となっているということが分かった。
【００４２】
本発明者らは鋭意検討の結果、ブローオフ法において同一のキャリア粒子を用いて、表示媒体に用いる粒子の帯電量測定を行うことにより、表示用有色粒子の適正な帯電特性値の範囲を評価できることを見出した。
【００４３】
更に、表示用有色粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）、図２および図３（ａ）〜（ｄ）において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４４】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【産業上の利用可能性】
【００４５】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子ブック、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。
【００４６】
なお、本発明に係る情報表示用パネルの駆動方式については、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルなど、種々のタイプの情報表示用パネルを用いることができる。
【図面の簡単な説明】
【００４７】
【図１】（ａ）、（ｂ）はそれぞれ本発明の情報表示用パネルの一例の構成を示す図である。
【図２】本発明の情報表示用パネルの他の例の構成を示す図である。
【図３】（ａ）〜（ｄ）はそれぞれ本発明の情報表示用パネルのさらに他の例の構成を示す図である。
【図４】（ａ）〜（ｃ）はそれぞれ本発明の情報表示用パネルの一例の構成を説明するための図である。
【図５】（ａ）〜（ｃ）はそれぞれ本発明の情報表示用パネルの他の例の構成を説明するための図である。
【図６】（ａ）〜（ｃ）はそれぞれ本発明の情報表示用パネルのさらに他の例の構成を説明するための図である。
【図７】本発明の情報表示用パネルを情報表示ボードとして使用した一例を示す図である。
【図８】本発明の情報表示用パネルを情報表示ボードとして使用した他の例を示す図である。
【図９】（ａ）、（ｂ）はそれぞれ本発明の情報表示用パネルを情報表示ボードとして使用したさらに他の例を示す図である。
【図１０】（ａ）、（ｂ）はそれぞれ本発明の情報表示用パネルの一例を正面から見た図および側面から見た図である。
【図１１】（ａ）、（ｂ）はそれぞれ本発明の情報表示用パネルの他の例を正面から見た図および側面から見た図である。
【図１２】（ａ）、（ｂ）はそれぞれ本発明の情報表示用パネルのさらに他の例を正面から見た図および側面から見た図である。
【図１３】本発明の情報表示用パネルにおける隔壁の形状の一例を示す図である。
【図１４】（ａ）〜（ｃ）はそれぞれ従来の情報表示用パネルの一構成を説明するための図である。
【符号の説明】
【００４８】
１、２  基板
３  表示媒体（粒子群、粉流体）
３Ｗ  白色表示媒体
３Ｗａ  表示用白色粒子
３Ｂ  黒色表示媒体
３Ｂａ  表示用黒色粒子
４  隔壁
５、６  電極
７  カラー板
８  カプセル
９  回転ボール
１１  表示面側基板
１２  表示面側ライン電極
１３、１３−１、１３−２、１６、１６−１、１６−２  引き出し線
１４  背面側基板
１５  背面側ライン電極
２１  情報表示用パネル
２２、２２−１、２２−２  情報表示エリア
２３、２３−１、２３−２、２４  コネクタ
２５、２５−１、２５−２、２６  接続配線
３１  引き出し線終結部
３２  天井
３３  壁
３４  パネル
３５  電池交換スペース
【図１】
2007322781.tif 000003
【図２】
2007322781.tif 000004
【図３】
2007322781.tif 000005
【図４】
2007322781.tif 000006
【図５】
2007322781.tif 000007
【図６】
2007322781.tif 000008
【図７】
2007322781.tif 000009
【図８】
2007322781.tif 000010
【図９】
2007322781.tif 000011
【図１０】
2007322781.tif 000012
【図１１】
2007322781.tif 000013
【図１２】
2007322781.tif 000014
【図１３】
2007322781.tif 000015
【図１４】
2007322781.tif 000016